(57)【特許請求の範囲】
【請求項１】
据置式横型危険物タンクであって、タンクの胴部が水平配置される円筒型でその上側半分の側壁をストレートに直立させた断面U字型からなり、該胴部の対向する前記側壁上端間にフラットの天板を、そして該胴部の両端に直板からなる側板を、それぞれ断面L字型のトップアングルを用いて接合配置した構成からなり、フラットの天板と胴部上部および側板上部のトップアングルとの接合部を、タンクの他の接合部よりも弱くして放爆構造としたことを特徴とする放爆構造を有する危険物タンク。
【請求項２】
据置式横型危険物タンクであって、タンクの胴部が水平配置される円筒型でその上側半分の側壁をストレートに直立させた断面U字型からなり、該胴部の対向する前記側壁上端間に傾斜付きの天板を、そして該胴部の両端に直板からなる側板を、それぞれ断面L字型のトップアングルを用いて接合配置した構成からなり、傾斜付きの天板と胴部上部および側板上部のトップアングルとの接合部を、タンクの他の接合部よりも弱くして放爆構造としたことを特徴とする放爆構造を有する危険物タンク。
【請求項３】
作業員が直接乗って作業できる傾斜付きの屋根型天板であることを特徴とする請求項2記載の放爆構造を有する危険物タンク。
【発明の詳細な説明】
【０００１】
【発明の属する技術分野】
この発明は、常圧で危険物を貯蔵する据置式の放爆構造を有する危険物タンクに関する。
【０００２】
【従来の技術】
常圧で危険物を貯蔵する屋外貯蔵タンクは、周囲からの加熱、タンク内火災等によるガスの発生によりタンク内の圧力が異常に上昇した場合、放置すればタンクの破壊を招くことになる。このとき、タンク底板または側板が破壊すれば、その被害は甚大なものとなるので、これを防ぐためその圧力を上方に放出できる構造とするか、相応の消火設備を設置しなければならない。
【０００３】
危険物の規制に関する政令第１１条第１項第６号においては、「屋外貯蔵タンクは、危険物の爆発等によりタンク内の圧力が異常に上昇した場合に内部のガス又は蒸気を上部に放出することができる構造とすること。」と規定されている。
【０００４】
一般に、縦置円筒型タンクにあっては、例えば、図４に示すように、側板５１上部のトップアングル５２と屋根板５３との接合部（溶接部）のすみ肉５４を、タンクの他の接合部（溶接部）よりも弱くする放爆構造をとることが多い。この場合、屋根板５３とラフタ５５は溶接してはならない。また、その他のタンクの場合は、一定の内圧になると上部へ放出するような破壊板等の方式が考えられる。
【０００５】
比重差により二液を分離する分離槽等に多く採用されている既存の据置式横型円筒型タンクは、比較的小容量であり、縦置円筒型タンクに比較してドレンを抜きやすく、底板の腐食も少なく、安価であるという特徴を有している。
【０００６】
【発明が解決しようとする課題】
しかしながら、既存の据置式横型円筒型タンクにおいては、胴部が円筒状であるため、放爆構造とすることができず、また、一定の内圧になると上部へ放出するような破壊板等の方式とすることもできない。このため、据置式横型円筒型タンクにおいては、ブリーザー弁付きの不活性ガス封入設備を設置するか、泡消火装置または水噴霧装置等の消火設備を設ける必要があるが、不活性ガス封入設備や消火設備は、設備費が高価であるという欠点を有している。
【０００７】
本発明の目的は、円筒型タンクの有利な特徴を残して放爆構造とした据置式横型の危険物タンクを提供することにある。
【0008】
【課題を解決するための手段】
本発明の請求項1の放爆構造を有する据置式横型危険物タンクの特徴は、タンクの胴部が水平配置される円筒型でその上側半分の側壁をストレートに直立させた断面U字型からなり、該胴部の対向する前記側壁上端間にフラットの天板を、そして該胴部の両端に直板からなる側板を、それぞれ断面L字型のトップアングルを用いて接合配置した構成からなり、フラットの天板と胴部上部および側板上部のトップアングルとの接合部を、タンクの他の接合部よりも弱くして放爆構造としたことである。
このように、水平配置される円筒型を基本とする胴部を円筒の上側半分をストレートにした断面U字型となして、天板をフラットにかつ両端の側板を直板としトップアングルを用いて接合する際に、フラットの天板と胴部上部および側板上部のトップアングルとの接合部を、タンクの他の接合部よりも弱くして放爆構造としたことによって、比較的小容量で、縦置円筒型タンクに比較してドレンを抜きやすく、底板の腐食も少なく、安価であるという特徴を有し、かつ、放爆構造とすることができる。
【０００９】
本発明の請求項2の放爆構造を有する据置式横型危険物タンクの特徴は、タンクの胴部が水平配置される円筒型でその上側半分の側壁をストレートに直立させた断面U字型からなり、該胴部の対向する前記側壁上端間に傾斜付きの天板を、そして該胴部の両端に直板からなる側板を、それぞれ断面L字型のトップアングルを用いて接合配置した構成からなり、傾斜付きの天板と胴部上部および側板上部のトップアングルとの接合部を、タンクの他の接合部よりも弱くして放爆構造としたことである。
このように、水平配置される円筒型を基本とする胴部を特定形状の断面U字型となし、天板を傾斜付きにかつ両端の側板を直板としトップアングルを用いて接合する際に、傾斜付きの天板と胴部上部および側板上部のトップアングルとの接合部を、タンクの他の接合部よりも弱くして放爆構造としたことによって、比較的小容量で、縦置円筒型タンクに比較してドレンを抜きやすく、底板の腐食も少なく、安価であるという特徴を有し、かつ、放爆構造とすることができる。
また、本発明の請求項3の放爆構造を有する据置式横型危険物タンクの特徴は、請求項2の記載の放爆構造を有する据置式危険物タンクにおいて、天板に作業員が直接乗って作業できる傾斜付きの屋根型天板である。
【0010】
【発明の実施の形態】
本発明の放爆構造は、据置式横型危険物タンクにおいて、水平配置される胴部を円筒型から上半分をストレートにした断面U字型とし、左右の鏡板(側板)を直板とすることによって、胴部の上部に配置接合する天板部分において既存のコーンルーフタンクと同じ放爆構造が取れ、かつ、円筒型の有する従来の利点を損なうことなく、据替えや新規設置が可能となる。なお、天板は、フラットまたは傾斜付きの屋根型とでき、直接天板上に作業員が乗れる構造とする。
【００１１】
なお、天板をフラットまたは傾斜付きの屋根型とし、直接天板上に作業員が乗って作業できる構造とすることにより、手すりのみで操作デッキが不要となる。
【００１２】
本発明の放爆構造において、据置式横型危険物タンクの天板と胴部上部および側板上部のトップアングルとの接合部を、タンクの他の接合部よりも弱くするには、フラットな天板と胴部上部および側板上部のトップアングルとの溶接部のすみ肉サイズを他の部分より小さくする。
【００１３】
特に、据置式横型危険物タンクの場合は、同一容量ならば既設の約８５％の半径とでき、タンクを小型化できるとともに、製作費がその分安価となる。また、胴部が円筒型からＵ字型となり、直接天板上に作業員が乗れるので、手すりのみで操作デッキが不要となる。さらに、タンク内液面の変動が直線的となるので、液面管理が容易となる。
【００１４】
【実施例】
以下にこの発明の据置式危険物タンクの放爆構造の詳細を実施の一例を示す図１〜図３に基づいて説明する。図１はこの発明の据置式横型危険物タンクの側面図、図２はこの発明の据置式横型危険物タンクの正面図、図３は放爆構造の一例を示す拡大断面図である。
【００１５】
図１、図２において、１は据置式横型危険物タンク、２は据置式横型危険物タンク１の断面Ｕ字型の胴部である。３は断面Ｕ字型の胴部２の両端に接合したＵ字型直板、４は胴部２およびＵ字型直板３の屋根に設けた天板である。天板４は、図３に示すように、胴部２およびＵ字型直板３の上部のトップアングル５に、他の溶接部分よりすみ肉６のサイズを小さくして溶接固定され、据置式横型危険物タンク１内の圧力が異常に上昇した場合に、内部のガスまたは蒸気がすみ肉６部を破って上部に放出するよう構成している。なお、７は天板４の周囲に設けた手すりである。
【００１６】
上記のように、据置式横型危険物タンク１においては、胴部２を断面Ｕ字型とし、胴部２の両端にＵ字型直板３を接合したことによって、屋根を直板または傾斜付きの天板４として放爆構造を取ることができると共に、比較的小容量で、縦置円筒型タンクに比較してドレンを抜きやすく、底板の腐食も少なく、安価であるという従来の据置式横型円筒状タンクの有する特徴を損なうこともない。しかも、天板４の周囲に手すり７を設けることによって、作業員が直接天板４上に乗って作業でき、従来の作業デッキが必要ない。
【００１７】
【発明の効果】
本発明の放爆構造を有する据置式危険物タンクは、比較的小容量で、縦置円筒型タンクに比較してドレンを抜きやすく、底板の腐食も少なく、安価であるという従来の円筒状タンクの有する特徴を損なうことなく、放爆構造とすることができると共に、作業員が直接天板上に乗って作業できるから、従来の作業デッキを不要とできる。
【図面の簡単な説明】
【図１】  この発明の据置式横型危険物タンクの側面図である。
【図２】  この発明の据置式横型危険物タンクの正面図である。
【図３】  この発明の放爆構造の一例を示す拡大断面図である。
【図４】  従来の縦置円筒型タンクの放爆構造の一例を示す拡大断面図である。
【符号の説明】
１  据置式横型危険物タンク
２  胴部
３  Ｕ字型直板
４  天板４
５、５２  トップアングル
６、５４  すみ肉
７  手すり
５１  側板
５３  屋根板
５５  ラフタ
【図１】
0004119087.tif 000002
【図２】
0004119087.tif 000003
【図３】
0004119087.tif 000004
【図４】
0004119087.tif 000005